(57)【要約】      （修正有）【課題】エレベータ設備のシャフト内でメンテナンス作業を実施する手順を簡単化する。【解決手段】エレベータ１は、ケージ４の上面５に取り付けられ、可動式制御装置カバー８を介してアクセスできる検査制御装置７と、シャフト２内の安全空間２４へのケージの移動を選択的に防止する阻止手段１５、２０、１８と、阻止手段１５、２０、１８を作動する作動手段１２とを備える。作動手段１２は、制御装置カバー８と同時運動するように構成される。したがって、メンテナンス作業者が制御装置カバー８を開けて、検査制御装置７を用いてケージ４を移動するとき、一時的安全空間２４は自動的にシャフト２内に生成される。【選択図】図１
2005320165.tif 000002
【特許請求の範囲】
【請求項１】
シャフト（２）内に取り付けられたガイドレール（３）に沿って移動することが可能なケージ（４）を有するエレベータ（１）であって、
ケージ（４）に取り付けられた検査制御装置（７、３０、４０）と、
シャフト（２）内の安全空間（２４）へのケージの移動を選択的に防止する阻止手段（１５、２０、１８）と、を備え、
アクセス手段（８、３４、３６、４２）が、検査制御装置（７）への操作可能アクセスを選択的に可能にするために設けられ、阻止手段（１５、２０、１８）を同時に作動するように構成されていることを特徴とする、エレベータ。
【請求項２】
阻止手段はケージ（４）に取り付けられた、突出位置と後退位置の間を移動するように構成されているカム（１５、２０）を備えている、請求項１に記載のエレベータ。
【請求項３】
突出位置のカム（１５、２０）はガイドレール（２）に取り付けられたバッファ（１８）と係合して、ケージ（４）の安全空間（２４）への移動を防止する、請求項２に記載のエレベータ。
【請求項４】
カム（１５、２０）はばねにより突出位置の方向に付勢されている、請求項２または３に記載のエレベータ。
【請求項５】
カム（２０）の位置を監視するための安全接点（２２、２３）をさらに備えている、請求項２から４のいずれか一項に記載のエレベータ。
【請求項６】
アクセス手段は可動式制御装置カバー（８）である、請求項１から５のいずれか一項に記載のエレベータ。
【請求項７】
制御装置カバー（８）と、レバー（１０）および阻止手段（１５、２０、１８）を相互接続するボーデンケーブル（１２）と同時に動くことが可能な、レバー（１０）をさらに備える、請求項６に記載のエレベータ。
【請求項８】
検査制御装置はさらにケージ操作パネル（３０、４０）として機能し、アクセス手段（３４、３６）は検査制御装置を２つの機能の間で切り換えるように構成されている、請求項１から５のいずれか一項に記載のエレベータ。
【請求項９】
アクセス手段はキー（３６）およびキー操作式スイッチ（３４）を備えている、請求項８に記載のエレベータ。
【請求項１０】
アクセス手段はキーパッド（４２）でのセキュリティコード入力を備えている、請求項８に記載のエレベータ。
【請求項１１】
シャフト（２）内に取り付けられたガイドレール（３）に沿って移動することが可能なケージ（４）を有するエレベータ（１）のシャフト（２）内に、安全空間（２４）を生成する方法であって、
検査制御装置（７）をケージ（４）に取り付ける工程と、
阻止手段（１５、２０、１８）を用いてシャフト（２）内の安全空間（２４）へのケージの移動を選択的に防止する工程と、を備え、
検査制御装置（７）への操作可能アクセスを選択的に可能にし、阻止手段（１５、２０、１８）を同時に作動することを特徴とする、方法。
【発明の詳細な説明】
【技術分野】
【０００１】
本発明はエレベータのシャフト内に一時的安全空間を生成することに関し、詳細には、エレベータシャフト内で作業するメンテナンス作業者にとって必要な安全空間を生成するために、エレベータケージの移動を機械的に制限する装置に関する。
【背景技術】
【０００２】
エレベータ設計者に対しては、一方では、建物内の設備に必要な空間を低減するように求める圧力が絶えず掛かっている。他方では、設備は、シャフト内で作業するメンテナンス作業者に対して、シャフトの上部およびピット内に適正な安全空間を設けることを保証することによって、工業標準を満たす必要がある。従来、これら安全要求事項には、シャフトを延長して、エレベータケージの移動通路の上下に適正な安全空間を永久的に設けることで適合してきた。
【０００３】
最近では、永久的な安全空間を除去して、代わりに、必要があるときだけに一時的に安全空間を生成することにより、エレベータ設備に必要な空間を低減する提案がされてきている。米国特許第５，７７３，７７１号明細書は、エレベータケージの両端部から外側に延びるボルトを利用して、ケージが特定ゾーンまたは安全空間内に移動するのを防止するシステムを記載している。シャフト内でメンテナンスを実行する必要があるとき、メンテナンス作業者はケージの屋根を取り付け、ケージの側面のロッドを引っ張り、ボルトを延長した位置にまで引き延ばす。次にメンテナンス作業者は検査制御装置を用いて、ケージをシャフトに沿って減速した検査速度で移動させる。ただし、ケージの移動通路は、引き延ばしたボルトがガイドレールの特定位置に取り付けられた対応するスチールプレートに係合するために制限され、これにより、必要とする一時的安全空間が確立される。
【特許文献１】米国特許第５，７７３，７７１号明細書
【発明の開示】
【発明が解決しようとする課題】
【０００４】
本発明の目的は、エレベータ設備のシャフト内でメンテナンス作業を実施する手順を簡単化することである。詳細には、本発明は、ケージに取り付けられた検査制御装置を用いて検査速度での移動を開始する前に、メンテナンス作業者がボルトを手動操作する手順を忘れずに行う必要を無くすることを目的とする。
【課題を解決するための手段】
【０００５】
本発明はシャフト内に取り付けられたガイドレールに沿って移動できるケージを有するエレベータを提供する。エレベータは、ケージに取り付けられた検査制御装置と、ケージのシャフト内の安全空間への移動を選択的に防止する阻止手段とを備える。アクセス手段が、検査制御パネルへの操作可能アクセスを選択的に可能にするために設けられ、阻止手段を同時に作動するように構成される。
【０００６】
さらに、本発明はシャフト内に取り付けられたガイドレールに沿って移動できるケージを有するエレベータのシャフト内に安全空間を生成する方法を提供する。この方法はケージに検査制御装置を取り付ける工程と、阻止手段を用いてケージのシャフト内の安全空間内への移動を選択的に防止する工程とを含む。検査制御装置へのアクセスは、検査制御装置へのアクセスが阻止手段の同時作動を引き起こすようにすることで、選択的に防止される。
【０００７】
ここでは、本発明は添付図面を参照して例により説明される。
【発明を実施するための最良の形態】
【０００８】
図１は本発明によるエレベータ１を示し、エレベータ１はシャフト２内に取り付けられたガイドレール３に沿って垂直方向に移動できるエレベータケージ４を備える。ケージ４は、ケージ４がガイドレールの経路に正確に確実に従うようにするガイドシュー６を含む。
【０００９】
メンテナンスにおいては、メンテナンス作業者はケージ４の屋根５を取り付け、緊急停止ボタン（図示せず）を押す。この後、検査制御装置７を用いて検査速度でケージ４を移動できる。図２に詳細に示す通り、制御装置７はヒンジ９に取り付けられた回転カバー８を含む。レバー１０およびサポートブラケット１１は制御装置カバー８と並べて屋根５に取り付けられる。レバー１０は相互に接続され、カバー８と同時に動く。レバー１０は第１ボーデンケーブル１２の中心ワイヤ１３の一端に接続され、ボーデンケーブル１２のシース１４はサポートブラケット１１に固定される。
【００１０】
第１ボーデンケーブル１２の他端では、中心ワイヤ１３は第１回転カム１５（図３に示す）に固定され、シース１４はサポートブラケット１５ａに固定される。回転カム１５はばね１６により図４に示す突出位置方向に付勢され、その位置で、カム１５はケージ４の側面から突き出て、ブラケット１９によりガイドレール３に固定されるバッファ１８と係合することにより、ケージ４がさらに上方に移動して上部の安全空間２４に入るのを防止する。第１回転カム１５が後退した位置にあると、ケージ４は制約を受けずに通常の移動経路に沿って移動できる。
【００１１】
同様に、第２ボーデンケーブル１７は、第１回転カム１５とケージ４の反対側に設けられた第２回転カム２０との間に配置される。図５に示す通り、第２回転カム２０もまた、ばね２１により突出位置方向に付勢され、その位置で、カム２０はケージ４の側面から突き出て、ブラケット１９によりガイドレール３に固定されるバッファ１８と係合することにより、ケージ４がさらに上方に移動して上部の安全空間２４に入るのを防止する。第２回転カム２０が後退した位置にあると、ケージ４は制約を受けずに通常の移動経路に沿って移動できる。２つの安全接点２２および２３は第２回転カム２０と並べて設けられ、カム２０が突出位置または後退位置のそれぞれにあることを示す。第１カム１５および第２カム２は直接シーケンスに作動するため、第２回転カム２０の位置を示すことは、第１回転カム１５の位置を決めるのに十分である。
【００１２】
ケージ４の屋根５からメンテナンス作業を実施するために、メンテナンス作業者は従来の三角キーを用いて手動で作業ドア（ｌａｎｄｉｎｇ  ｄｏｏｒ）を開く。これにより、エレベータ制御の安全チェーンは中断（ｂｒｏｋｅｎ）され、エレベータ１は「停止」状態に置かれる。次に、メンテナンス作業者はケージ屋根５にアクセスして、緊急停止ボタンを押し（これにより、作業ドアを閉じても「停止」状態を維持する）、検査制御装置７のカバー８を開ける。レバー１０はカバー８と同時に動き、この動作により、両方のボーデンケーブル１２および１７の中心ワイヤ１３が弛む。したがって、第１カム１５および第２カム２０は、ばね付勢によりそれらの突出した位置に回転する。第２カム２０が完全に突き出た位置になると、安全接点２２はエレベータコントローラに向けて信号を発生し、エレベータ１は「停止」状態から解放されて検査モードになり、これにより、メンテナンス作業者は、検査制御装置７を用いてシャフト２内でケージ４を検査速度で移動できる。検査モードにおいては、メンテナンス作業者がケージ４を上方の安全空間２４内に移動させようとしても、回転カム１５および２０は突出位置にあり、レールに装着されたバッファ１８に係合しているため、ケージ４は上部の安全空間２４に入るのを防止される。
【００１３】
必要なメンテナンスの実施が完了した後、メンテナンス作業者は制御装置カバー８を閉じ、両方のボーデンケーブル１２および１７の中心ワイヤ１３は、ばね１６および２１の付勢力に対抗して移動し、これにより、カム１５および２０はそれらの後退位置に回転する。安全接点２３はエレベータコントローラに向けて信号を発生し、エレベータ１は検査モードから「停止」状態に戻す。その後、メンテナンス作業者は作業ドアを通りシャフト２から出て、リセットボタンを作動することにより、エレベータ１を通常動作モードで再開できる。
【００１４】
シャフト２の上部に必要な一時的安全空間２４を生成する上記機構は、シャフト２の穴内に類似の安全空間を確立するのに簡単に適合できることは容易に理解されるであろう。実際、必要とされることの全ては、シャフト２の下部領域の必要な高さの位置のガイドレール３に追加のバッファ１８を取り付けることだけである。
【００１５】
さらに、前述の実施形態における回転カム１５および２０の両方はばね付勢方式であるが、同一の効果は、第２ボーデンケーブル１７との相互接続を通して、第２カム２０のあらゆる動きが自動的に第１カム１５に持ち越されるため、第２回転カム２０だけに単一付勢ばね２１を利用することにより再現できることは明らかである。
【００１６】
好ましい実施形態においては、検査制御装置７へのアクセスを制御するために、制御装置カバー８を用いていた。しかしながら、当業者には、本発明を実施するのに、任意の他のアクセス手段も同様に利用できることは明らかに理解されるであろう。例えば、検査制御装置７はカバー８を有していなくてもよく、この場合には、レバー１０が移動して安全空間を生成し終わるまで、検査制御は実施できなくなる。あるいは、検査制御装置７はキー操作式スイッチによってだけ作動できるように構成してもよい。この場合には、キー操作式スイッチの運動を利用して、回転カム１５および２０を作動して突出位置にし、これにより必要な安全空間を生成することもできる。キー操作式スイッチを回転カム１５および２０に機械的に結合することもでき、あるいは、キー操作式スイッチの運動を電気回路で実行し、回転カム１５および２０を作動できる。
【００１７】
図６および７は本発明の別の実施形態を示す。図示した、ケージ４の内部に取り付けられる操作パネル３０は２つの目的を有する。この実施形態は、欧州特許第１０５２２１２号に記載されたエレベータにおいて特に有用であると考えられる。通常操作においては、このパネルは通常ケージ操作パネルとして機能し、利用者はパネル３０のプッシュボタン３２を用いて所望の行き先を登録する。メンテナンス状態においては、メンテナンス作業者はパネル３０側面のキー操作スイッチ３４にキー３６を差し込んで、パネル３０を検査制御装置の機能に切り換え、同時に回転カム１５および２０を作動する。
【００１８】
図８は別の実施形態を示す。図の通常ケージ操作パネル４０は、キーパッド４２を用いて正しいセキュリティコードを電子的に入力することにより、検査制御装置の機能に切り換えられ、これにより同時に回転カム１５および２０を作動する。
【００１９】
本発明は、一時的安全空間生成の手段として、特に回転カム１５および２０を参照して説明してきたが、本発明は任意の他の阻止手段を利用して、シャフト内の安全空間へのケージの移動を選択的に防止できることは明らかである。
【図面の簡単な説明】
【００２０】
【図１】本発明の好ましい実施形態によるエレベータを示す図である。
【図２】図１の検査制御装置の斜視図である。
【図３】図１のエレベータケージの側面から突き出る第１回転カムの配置の斜視図である。
【図４】ガイドレールに取り付けられたバッファに係合する突出位置にある第１カムの斜視図である。
【図５】図１のエレベータケージの側面から突き出る第２回転カムの斜視図である。
【図６】本発明の第２実施形態によるエレベータケージ内の操作パネルの正面図である。
【図７】図６の操作パネルの側面図である。
【図８】本発明の第３実施形態による別の操作パネルを示す図である。
【符号の説明】
【００２１】
１  エレベータ
２  シャフト
３  ガイドレール
４  エレベータケージ
５  屋根
６  ガイドシュー
７  検査制御装置
８  回転カバー
９  ヒンジ
１０  レバー
１１  サポートブラケット
１２  第１ボーデンケーブル
１３  中心ワイヤ
１４  シース
１５  第１回転カム
１５ａ  サポートブラケット
１６  ばね
１７  第２ボーデンケーブル
１８  バッファ
１９  ブラケット
２０  第２回転カム
２１  ばね
２２、２３  安全接点
２４  安全空間
３０  操作パネル
３２  プッシュボタン
３４  キー操作スイッチ
３６  キー
４０  通常ケージ操作パネル
４２  キーパッド
【図１】
2005320165.tif 000003
【図２】
2005320165.tif 000004
【図３】
2005320165.tif 000005
【図４】
2005320165.tif 000006
【図５】
2005320165.tif 000007
【図６】
2005320165.tif 000008
【図７】
2005320165.tif 000009
【図８】
2005320165.tif 000010
【外国語明細書】
2005320165.tif 000011
2005320165.tif 000012
2005320165.tif 000013
2005320165.tif 000014
2005320165.tif 000015
2005320165.tif 000016
2005320165.tif 000017
2005320165.tif 000018
2005320165.tif 000019
2005320165.tif 000020
2005320165.tif 000021
2005320165.tif 000022
2005320165.tif 000023
2005320165.tif 000024
2005320165.tif 000025